(57)【要約】   【課題】従来のプルトップタブを装着した缶は、タブを持ち上げにくい上に力を要した。力を加え過ぎて、内容物が飛び出す場合もあり、力の弱い高齢者、女性、子供にも扱いやすい回転タブを提供することを目的とする。また、従来の缶は一度だけの使用による使い捨てであった。  【解決手段】タブを回転式にして、缶蓋に空気穴を設けて飲み口の開閉の負荷を減少させ、タブの持ち上げ難さや、開口に要する力の軽減を図った。また、補助的に指又は掌で圧力を加えることにより、開閉を容易にするとともに、タブを蓋として利用可能にし、再利用の可能性を高め、環境に優しい缶の回転タブを提供する。【選択図】  図２８
2015131671.tif 000002
【特許請求の範囲】
【請求項１】
缶１上面の缶蓋２を構成する缶蓋パネル部Ｃの中心または中心付近のリベットＢにより該缶蓋パネル部Ｃの非開口部Dと回転タブ３のタブ台座Ａが結合し、該缶蓋パネル部Ｃには開口部Ｃ１及び空気穴部K１の少なくとも２箇所の開口部が設けられ、該缶蓋パネル部Cの表面にそって該リベットＢを中心に該タブ台座Ａを指又は掌にて回転させることにより、該タブ台座Ａが空気穴開口部K１に設けられた補強用突起K２に接触して該補強用突起K２に圧力を加えて空気穴破断切り込みK3を破断させ空気穴折口K４を折曲げて空気穴開口部K１を押し下げ、さらに該タブ台座Ａが開口部Ｃ１に設けられた補強用突起C２に接触して該補強用突起C２に圧力を加え開口部破断切り込みC3を破断させ開口部折口C４を折曲げて開口部C１を押し下げることを特徴とする缶蓋と回転式タブ。
【請求項２】
前記補強用突起K２に接触する前記タブ台座Ａの下部に空気穴部圧力突起Ｐ１を設けることを特徴とする請求項１記載の缶蓋と回転式タブ。
【請求項３】
前記補強用突起C２に接触する前記タブ台座Ａの下部に開口部圧力突起Ｐ２を設けることを特徴とする請求項１記載の缶蓋と回転式タブ。
【請求項４】
前記空気穴部圧力突起Ｐ１に対応した前記非開口部Ｄにストッパー凹みＤ１を設け、あるいは、前記開口部圧力突起Ｐ２に対応した前記非開口部Ｄにストッパー凹みＤ２を設けることを特徴とする請求項１記載の缶蓋と回転式タブ。
【請求項５】
前記補強用突起K２の前記リベットＢを中心とした対称位置に、せり上げ用突起Ｄ３を前記非開口部Ｄに設け、あるいは、前記補強用突起C２の前記リベットＢを中心とした対称位置に、せり上げ用突起Ｄ４を該非開口部Ｄに設けることを特徴とする請求項１記載の缶蓋と回転式タブ。
【請求項６】
前記タブ台座Ａの上面の少なくとも一箇所に指掛けＡ３または指穴Ａ４または摩擦突起Ａ５を設けることを特徴とする請求項１記載の缶蓋と回転式タブ。
【請求項７】
前記空気穴部K１に補強用突起K２を複数設置することを特徴とする請求項１記載の缶蓋と回転式タブ。
【請求項８】
前記開口部Ｃ１に前記補強用突起C２を複数設置することを特徴とする請求項１記載の缶蓋と回転式タブ。
【請求項９】
前記空気穴部圧力突起Ｐ１に対応した空気穴部ＷＫ１にストッパー凹みＷＫ５を設け、あるいは、前記開口部圧力突起Ｐ２に対応した開口部Ｗ１にストッパー凹みＷ５を設けることを特徴とする請求項１記載の缶蓋と回転式タブ。
【請求項１０】
前記タブ台座Ａをプルトップ式として併用できることを特徴とする請求項１記載の缶蓋と回転式タブ。
【請求項１１】
前記リベットＢの直径を大きくし、前記タブ台座Ａの補強を兼ねることができることを特徴とする請求項１記載の缶蓋と回転式タブ。
【請求項１２】
前記缶蓋パネル部Cの表面にそって前記リベットＢを中心に前記タブ台座Ａを指又は掌にて回転させ該タブ台座Ａが空気穴開口部ＳK１に設けられた補強用突起ＳK２に接触して該補強用突起ＳK２に圧力を加え補助的に指又は掌で圧力を加えて空気穴破断切り込みＳK3を破断させ空気穴折口ＳK４を折曲げて空気穴開口部ＳK１を押し下げ、さらに該タブ台座Ａが開口部Ｓ１に設けられた補強用突起Ｓ２に接触して指又は掌で該タブ台座Ａを圧することにより、該補強用突起Ｓ２に圧力を加え開口部破断切り込みＳ3を破断させ開口部折口Ｓ４を折曲げて開口部Ｓ１を押し下げることを特徴とする請求項１記載の缶蓋と回転式タブ。
【請求項１３】
前記空気穴部圧力突起Ｐ１の外周の形状と前記空気穴部ＳＫ１が開口された際の穴の外周の形状を一致させ、前記開口部圧力突起Ｐ２の外周の形状と前記開口部Ｓ１が開口された際の穴の形状を一致させあるいは、開口したそれぞれの穴に適合した突起またはパッキンＰＫ１と突起またはパッキンＰＫ２を前記タブ台座Ａの裏面に設けて蓋の機能をもたせることを特徴とする請求項１記載の缶蓋と回転式タブ。
【発明の詳細な説明】
【技術分野】
【０００１】
本発明は、缶蓋と回転式タブに関するものである。
【背景技術】
【０００２】
従来、プルトップ式は最も便利な缶の開口方式であり、年齢を問わず利用されている。これはタブの一端と缶蓋パネル部との隙間に指先を挿入し、タブの一端を引き上げることによってタブの他端が押し下げられ、缶蓋のパネル部に設けられた開口部切り込みを破断させる構造であり、最初にタブを爪先で引っ掛ける必要がある。しかしながら、タブの一端と缶蓋のパネル部の隙間が狭く、指先がわずかしか挿入できないため、力の弱い高齢者、女性、子供には開け難い構造となっている。
【０００３】
タブの一端と缶蓋のパネル部の隙間が狭く、指先がわずかしか挿入できない点に着目して、タブの一端と缶蓋のパネル部の隙間を広くして解決を図る提案がなされている（例えば、特許文献１と特許文献２を参照）。
【０００４】
また、缶蓋のパネル部に傾斜を設けてタブを回転させ缶蓋のパネル部に設けられた開口部切り込みを破断させる構造も提案されている（例えば、特許文献３を参照）。
【先行技術文献】
【特許文献】
【０００５】
【特許文献１】特開２０００−１１８５３１号公報
【特許文献２】特開２０１１−３７４６７号公報
【特許文献３】特開２０１２−９１８７０号公報
【発明の概要】
【発明が解決しようとする課題】
【０００６】
一般化しているプルトップタブを採用している飲料缶においては、開口部が一箇所で、内容物の液体を排出する際に同容積の空気を缶内に取り込む為に、開口部を広くする必要があり、その結果、破断するために相当の加圧を要求され、タブを持ち上げるのに相当の指の力を必要とする。
【０００７】
開口部から直接吸引しようとする場合、吸引する内容物の液体が入れ替わりに缶に入る空気と口元で干渉し、味覚を損ねる場合がある。
【０００８】
爪の長い指や、ネールアートを施した指でタブを持ち上げようとする場合、タブを操作しにくい為、専用の補助道具が必要になる場合がある。
【０００９】
タブを持ち上げるのに相当の指の力を必要とする結果、開口時に缶が動き、内容物が噴出することがある。
【００１０】
広い開口部を効率よく破断させる為、折口をタブの位置からずらして設けられている結果、右利きの人は開けやすくなる反面、左利きの人には開けにくくなっている。
【００１１】
一般化しているプルトップタブを採用している飲料缶においては、使用後は廃棄され、環境の悪化を招いている。
【課題を解決するための手段】
【００１２】
本願発明の缶蓋と回転式タブは、缶１上面の缶蓋２を構成する缶蓋パネル部Ｃの中心または中心付近のリベットＢにより該缶蓋パネル部Ｃの非開口部Dと回転タブ３のタブ台座Ａが結合し、該缶蓋パネル部Ｃには開口部Ｃ１及び空気穴部K１の少なくとも2箇所の開口部が設けられ、該缶蓋パネル部Cの表面にそって該リベットＢを中心に該タブ台座Ａを指又は掌にて回転させることにより、該タブ台座Ａが空気穴開口部K１に設けられた補強用突起K２に接触して該補強用突起K２に圧力を加えて空気穴破断切り込みK3を破断させ空気穴折口K４を折曲げて空気穴開口部K１を押し下げ、さらに該タブ台座Ａが開口部Ｃ１に設けられた補強用突起C２に接触して該補強用突起C２に圧力を加え開口部破断切り込みC3を破断させ開口部折口C４を折曲げて開口部C１を押し下げる。
【００１３】
本願発明の缶蓋と回転式タブは、前記補強用突起K２に接触する前記タブ台座Ａの下部に空気穴部圧力突起Ｐ１を設ける。
【００１４】
本願発明の缶蓋と回転式タブは、前記補強用突起C２に接触する前記タブ台座Ａの下部に開口部圧力突起Ｐ２を設ける。
【００１５】
本願発明の缶蓋と回転式タブは、前記空気穴部圧力突起Ｐ１に対応した前記非開口部Ｄにストッパー凹みＤ１を設け、あるいは、前記開口部圧力突起Ｐ２に対応した前記非開口部Ｄにストッパー凹みＤ２を設ける
【００１６】
本願発明の缶蓋と回転式タブは、前記補強用突起K２の前記リベットＢを中心とした対称位置に、せり上げ用突起Ｄ３を前記非開口部Ｄに設け、あるいは、前記補強用突起C２の前記リベットＢを中心とした対称位置に、せり上げ用突起Ｄ４を該非開口部Ｄに設ける。
【００１７】
本願発明の缶蓋と回転式タブは、前記タブ台座Ａの上面の少なくとも一箇所に指掛けＡ３または指穴Ａ４または摩擦突起Ａ５を設ける。
【００１８】
本願発明の缶蓋と回転式タブは、前記空気穴部K１（ＷＫ１）に補強用突起K２（ＷＫ２）を複数設置する。
【００１９】
本願発明の缶蓋と回転式タブは、前記開口部Ｃ１（Ｗ１）に前記補強用突起C２（Ｗ２）を複数設置する。
【００２０】
本願発明の缶蓋と回転式タブは、前記空気穴部圧力突起Ｐ１に対応した空気穴部ＷＫ１にストッパー凹みＷＫ５を設け、あるいは、前記開口部圧力突起Ｐ２に対応した開口部Ｗ１にストッパー凹みＷ５を設ける
【００２１】
本願発明の回転式タブは、前記タブ台座Ａをプルトップ式として併用できる。
【００２２】
本願発明の回転式タブは、前記リベットＢの直径を大きくし、前記タブ台座Ａの補強を兼ねることができる。
【００２３】
本願発明の缶蓋と回転式タブは、前記缶蓋パネル部Cの表面にそって前記リベットＢを中心に前記タブ台座Ａを指又は掌にて回転させ該タブ台座Ａが空気穴開口部ＳK１に設けられた補強用突起ＳK２に接触して該補強用突起ＳK２に圧力を加え補助的に指又は掌で圧力を加えて空気穴破断切り込みＳK3を破断させ空気穴折口ＳK４を折曲げて空気穴開口部ＳK１を押し下げ、さらに該タブ台座Ａが開口部Ｓ１に設けられた補強用突起Ｓ２に接触して指又は掌で該タブ台座Ａを圧することにより、該補強用突起Ｓ２に圧力を加え開口部破断切り込みＳ3を破断させ開口部折口Ｓ４を折曲げて開口部Ｓ１を押し下げる。
【００２４】
本願発明の回転式タブは、前記空気穴部圧力突起Ｐ１の外周の形状と前記空気穴部ＳＫ１が開口された際の穴の外周の形状を一致させ、前記開口部圧力突起Ｐ２の外周の形状と前記開口部Ｓ１が開口された際の穴の形状を一致させあるいは、開口したそれぞれの穴に適合した突起またはパッキンＰＫ１と突起またはパッキンＰＫ２を前記タブ台座Ａの裏面に設けて蓋の機能をもたせる。
【発明の効果】
【００２５】
空気穴を別途開けることにより、排出用の開口部から空気を取り込む必要は無くなり、その結果開口部を広く設定する必要は無くなり、破断するための力が軽減される。
【００２６】
開口部から直接吸引しようとする場合、空気が空気穴から補給されるため、吸引する内容物の液体が空気と口元で干渉することが無くなり、ストローで吸引するのと同じ感覚で吸引が可能となり、味覚を損ねることが無い。
【００２７】
破断が容易になるため、力を加える為にタブを持ち上げる必要は無くなり、また、指または掌でタブを回転させることにより開口できるため、爪が長くても容易に開口でき、専用の補助道具を必要としない。
【００２８】
開口部切り込みを破断する際に、内容物が缶から飛び出すおそれは少ない。
【００２９】
左右いずれの回転にも対応させることが出来、右利きにも左利きにも対応可能となる。
【００３０】
タブに蓋の機能を持たせることが可能となり、そのまま再利用ができて環境に優しい缶となる。
【図面の簡単な説明】
【００３１】
【図１】図１は、缶の形態を示した説明図である。
【図２】図２は、缶の上部缶蓋の平面図である。（実施例１）
【図３】図３は、回転タブを示す平面図である。（実施例１）
【図４】図４は、図３の側面図である。（実施例１）
【図５】図５は、回転タブを示す平面図である。（実施例２）
【図６】図６は、図５の側面図である。（実施例２）
【図７】図７は、回転タブを示す平面図である。（実施例３）
【図８】図８は、図７の側面図である。実施例３）
【図９】図９は、回転タブの側面図である。（実施例４）
【図１０】図１０は、缶蓋パネル部の平面図である。（実施例５）
【図１１】図１１は、図１０に回転タブを取り付けた平面図である。（実施例５）
【図１２】図１２は、図１１の回転タブを操作した説明図である。（実施例５）
【図１３】図１３は、開口部の平面図である。（実施例１）
【図１４】図１４は、図１３の側面図である。（実施例１）
【図１５】図１５は、空気穴部の平面図である。（実施例１）
【図１６】図１６は、図１５の側面図である。（実施例１）
【図１７】図１７は、缶蓋パネル部の平面図である。（実施例６）
【図１８】図１８は、図１７に回転タブを取り付けた平面図である。（実施例６）
【図１９】図１９は、図１８の回転タブを操作した説明図である。（実施例６）
【図２０】図２０は、図１８の回転タブを操作した説明図である。（実施例６）
【図２１】図２１は、図１８の回転タブを操作した説明図である。（実施例６）
【図２２】図２２は、開口部の平面図である。（実施例７）
【図２３】図２３は、図２２の側面図で、開口部と回転タブの関係を示す説明図である。（実施例７）
【図２４】図２４は、空気穴部の平面図である。（実施例７）
【図２５】図２５は、図２４の側面図で、空気穴部と回転タブの関係を示す説明図である。（実施例７）
【図２６】図２６は、回転タブを示す平面図である。（実施例７）
【図２７】図２７は、補強用突起の例を示す説明図である。（実施例８）
【図２８】図２８は、缶蓋パネル部に回転タブを取り付けた平面図である。（実施例９）
【図２９】図２９は、図２８から回転タブを回転移動した平面図である。（実施例９）
【図３０】図３０は、図２９のａ−ａ’断面図である。（実施例９）
【図３１】図３１は、回転タブの裏面の平面図である。（実施例１０）
【発明を実施するための形態】
【００３２】
本願発明の缶蓋と回転式タブについて、缶の形態を示す図１により説明する。
缶１の缶蓋２の缶蓋パネル部Ｃに、回転タブ３のタブ台座ＡがリベットＢにより取り付けられている。
【００３３】
本願発明の缶蓋と回転式タブについて、缶の上部缶蓋を示す図２により説明する。
前記缶蓋パネル部Ｃは、非開口部Ｄ及び開口部Ｃ１と空気穴部Ｋ１が設けられ、缶蓋パネル部Ｃの中央または中央付近の該非開口部Ｄに回転タブ３のタブ台座ＡがリベットＢにより取り付けられている。
【００３４】
前記開口部Ｃ１は補強用突起Ｃ２により補強され、前記非開口部Ｄとの境界は、開口部破断切り込みＣ３と開口部折口Ｃ４で接し、該開口部破断切り込みＣ３が破断されると該開口部折口Ｃ４のみにて該開口部Ｃ１と該非開口部Ｄが接続する構造である。
【００３５】
前記空気穴部Ｋ１は補強用突起Ｋ２により補強され、前記非開口部Ｄの境界は、空気穴部破断切り込みＫ３と空気穴部折口Ｋ４で接し、該空気穴部破断切り込みＫ３が破断されると該空気穴部折口Ｋ４のみにて該空気穴部Ｋ１と該非開口部Ｄが接続する構造である。
【００３６】
前記回転タブ３を前記リベットＢを中心に回転させることにより、前記空気穴部Ｋ１の前記補強用突起Ｋ２に前記タブ台座Ａが接触し、該補強用突起Ｋ２が押し下げられて前記空気穴部破断切り込みＫ３が破断し、前記空気穴部折口Ｋ４が折り曲げられる。
【００３７】
さらに、前記回転タブ３を前記リベットＢを中心に回転させることにより、前記開口部Ｃ１の前記補強用突起Ｃ２に前記タブ台座Ａが接触し、該補強用突起Ｃ２が押し下げられて前記開口部破断切り込みＣ３が破断し、前記開口部折口Ｃ４が折り曲げられる。
【００３８】
本願発明の缶蓋と回転式タブについて、回転タブを示す図３により説明する。
前記空気穴部Ｋ１の前記補強用突起Ｋ２に前記タブ台座Ａが接触し、該補強用突起Ｋ２を押し下げるのであるが、該補強用突起Ｋ２をより効果的に押し下げる為に、該タブ台座Ａに空気穴部圧力突起Ｐ１を設ける。
【００３９】
前記開口部Ｃ１の前記補強用突起Ｃ２に前記タブ台座Ａが接触し、該補強用突起Ｃ２を押し下げるのであるが、該補強用突起Ｃ２をより効果的に押し下げる為に、該タブ台座Ａに開口部圧力突起Ｐ２を設ける。
【００４０】
図４は、図３の側面図である。
前記空気穴部圧力突起Ｐ１あるいは前記開口部圧力突起Ｐ２が前記タブ台座Ａの下方に突起している構造であることを示している。一定の強度を確保出来れば半円形や円錐形など、多様な形状の突起が可能である。
【００４１】
本願発明の缶蓋と回転式タブについて、回転タブを示す図５により説明する。
前記タブ台座Ａに指掛けＡ３を１個または複数設けて、前記回転タブ３の回転の操作性を向上させることができる。該指掛けＡ３は単に突起したものの他に、指の形状にフィットさせたものや、蝶ネジの形態も可能である。
【００４２】
図６は、図５の側面図である。
前記指掛けＡ３が前記タブ台座Ａの上方に突起していることを示している。
【００４３】
本願発明の缶蓋と回転式タブについて、回転タブを示す図７により説明する。
前記タブ台座Ａに前記指掛けＡ３あるいは摩擦突起Ａ５、または指穴Ａ４を設けて、前記回転タブ３の回転の操作性を向上させることができる。該指穴Ａ４は指を入れられるように該タブ台座Ａに凹みを設けたり穴を開けて操作性を考慮した形状と数が求められるが、指掛けＡ３あるいは摩擦突起Ａ５と併用することにより、操作性を向上することができる。あるいは、摩擦突起Ａ５を多数設けることにより、指先または掌などで圧しながら該タブ台座Ａを回転させることができる。
【００４４】
図８は、図７の側面図である。
【００４５】
本願発明の缶蓋と回転式タブについて、回転タブの側面を示す図９により説明する。
前記指掛けＡ３を前記タブ台座Ａの補強用の突起とし、該タブ台座Ａが前記補強用突起Ｋ２や前記補強用突起Ｃ２に対して有効に加圧し、前記空気穴部破断切り込みＫ３や前記開口部破断切り込みＣ３の破断を容易にすることができる。
【００４６】
本願発明の缶蓋と回転式タブについて、前記缶蓋パネル部Ｃの平面図を示す図１０により説明する。
前記リベットＢを該缶蓋パネル部Ｃの中心より前記開口部Ｃ１に近い位置の前記非開口部Ｄに設けることができる。該非開口部Ｄに前記空気穴部Ｋ１と前記開口部Ｃ１が設けられる。
【００４７】
本願発明の缶蓋と回転式タブについて、前記缶蓋パネル部Ｃの平面図を示す図１１により説明する。
前記リベットＢを該缶蓋パネル部Ｃの中心より前記開口部Ｃ１に近い位置に設けた場合、前記タブ台座Ａの該リベットＢの位置が、該タブ台座Ａのセンターから外れ、該リベットＢを中心として、前記空気穴部圧力突起Ｐ１側が前記開口部圧力突起Ｐ２側より長くなり、該空気穴部圧力突起Ｐ１側に前記指掛けＡ３を設けることにより、前記回転タブ３を回転しやすくするとともに、前記空気穴部破断切り込みＫ３や前記開口部破断切り込みＣ３の破断の為の指の負担を軽減することができる。
【００４８】
前記缶蓋パネル部Ｃの平面図を示す図１２は、図１１の前記タブ台座Ａを回転し、前記空気穴部Ｋ１と前記開口部Ｃ１を押し下げた状態を示している。
【００４９】
本願発明の缶蓋と回転式タブについて、前記開口部Ｃ１の平面図を示す図１３により説明する。
該開口部Ｃ１は前記補強用突起Ｃ２が設けられ、前記開口部折口Ｃ４と前記開口部破断切り込みＣ３が前記非開口部Ｄと接している。
【００５０】
本願発明の缶蓋と回転式タブについて、図１３の側面図を示す図１４により説明する。
前記タブ台座Ａが矢印のＹ１からＹ２方向に前記開口部Ｃ１の前記補強用突起Ｃ２にそって移動し、前記開口部折口Ｃ４を折り曲げる状況を示している。
【００５１】
本願発明の缶蓋と回転式タブについて、前記空気穴部Ｋ１の平面図を示す図１５により説明する。
該空気穴部Ｋ１は前記補強用突起Ｋ２が設けられ、前記空気穴部折口Ｋ４と前記空気穴部破断切り込みＫ３が前記非開口部Ｄと接している。
【００５２】
本願発明の缶蓋と回転式タブについて、図１５の側面図を示す図１６により説明する。
前記タブ台座Ａが矢印のＹ３からＹ４方向に前記空気穴部Ｋ１の前記補強用突起Ｋ２にそって移動し、前記空気穴部折口Ｋ４を折り曲げる状況を示している。
【００５３】
本願発明の缶蓋と回転式タブについて、前記缶蓋パネル部Ｃの平面図を示す図１７により説明する。
回転式タブが不用意に動くのを防止し安定させるため、前記非開口部Ｄに必要に応じてストッパー凹みＤ１またはストッパー凹みＤ２のいずれか一方または両方を設ける。
【００５４】
前記補強用突起Ｋ２に対する圧力を高める為、必要に応じて前記非開口部Ｄの前記リベットＢを中心とし、該補強用突起Ｋ２と対称の位置関係にせり上げ用突起Ｄ３を設ける。
【００５５】
前記補強用突起Ｃ２に対する圧力を高める為、必要に応じて前記非開口部Ｄの前記リベットＢを中心とし、該補強用突起Ｃ２と対称の位置関係にせり上げ用突起Ｄ４を設ける。
【００５６】
本願発明の缶蓋と回転式タブについて、使用前の状態を示す図１８により説明する。
前記空気穴部圧力突起Ｐ１が、前記ストッパー凹みＤ１に格納され、前記開口部圧力突起Ｐ２が前記ストッパー凹みＤ２に格納されている。
【００５７】
前記ストッパー凹みＤ１及び前記ストッパー凹みＤ２は、タブを回転する前の安定を保つ為に設ける他に、タブの回転を終えた時の安定を保つ為にも設けることができる。
【００５８】
前記ストッパー凹みＤ１及び前記ストッパー凹みＤ２は、前記空気穴部圧力突起Ｐ１と前記開口部圧力突起Ｐ２を前記リベットＢから等しい距離関係を有して前記タブ台座Ａに設定すると、タブを回転する前の安定を保つ為と、タブの回転を終えた時の安定を保つ為に併用することが可能となる。
【００５９】
本願発明の缶蓋と回転式タブについて、使用開始直後に前記空気穴部Ｋ１を開ける状態を示す図１９により説明する。
前記開口部圧力突起Ｐ２が、前記せり上げ用突起Ｄ３を通過する際、該開口部圧力突起Ｐ２が上方にせり上がり、前記タブ台座Ａが前記リベットＢを支点とした梃子の原理により、前記空気穴部圧力突起Ｐ１を下方に押し下げ、前記補強用突起Ｋ２に圧力をかけて前記空気穴部Ｋ１を押し下げて開口する。
【００６０】
本願発明の缶蓋と回転式タブについて、使用開始後に前記空気穴部Ｋ１を開けた後に、前記開口部Ｃ１を開ける状態を示す図２０により説明する。
前記空気穴部圧力突起Ｐ１が、前記せり上げ用突起Ｄ４を通過する際、該空気穴部圧力突起Ｐ１が上方にせり上がり、前記タブ台座Ａが前記リベットＢを支点とした梃子の原理により、前記開口部圧力突起Ｐ２を下方に押し下げ、前記補強用突起Ｃ２に圧力をかけて前記開口部Ｃ１を押し下げて開口する。
【００６１】
図２１は、本願発明の缶蓋と回転式タブについて、前記空気穴部Ｋ１を開け、更に前記開口部Ｃ１を開けた状態を示している。
【００６２】
本願発明の缶蓋と回転式タブについて、開口部Ｗ１の平面図を示す図２２により説明する。
該開口部Ｗ１には補強用突起Ｗ２が、ストッパー凹みＷ５を中心に左右に設けられ、開口部折口Ｗ４と開口部破断切り込みＷ３が前記非開口部Ｄと接している。
【００６３】
本願発明の缶蓋と回転式タブについて、図２２の側面図を示す図２３により説明する。
前記タブ台座Ａの開口部圧力突起Ｐ２が前記開口部Ｗ１のストッパー凹みＷ５に格納されている。
かかる位置から、該タブ台座Ａを矢印のＹ１からＹ２またはＹ３のいずれかの方向に前記開口部Ｗ１の前記補強用突起Ｗ２にそって移動すると、該開口部圧力突起Ｐ２が前記補強用突起Ｗ２にせり上がり、図２２の前記開口部破断切り込みＷ３を破断し、さらに該開口部圧力突起Ｐ２が該補強用突起Ｗ２にそって移動することにより、該補強用突起Ｗ２に圧力をかけ、該開口部Ｗ１を押し下げ開口する。
【００６４】
前記タブ台座Ａを矢印のＹ１からＹ２またはＹ３のどちらの方向に移動（回転）させても全く同じ動きで前記開口部Ｗ１を押し下げ開口するので、右利きと左利きによる開口の容易さに差は無くなる。
【００６５】
本願発明の缶蓋と回転式タブについて、空気穴部ＷＫ１の平面図を示す図２４により説明する。
該空気穴部ＷＫ１には補強用突起ＷＫ２が、ストッパー凹みＷＫ５を中心に左右に設けられ、空気穴部折口ＷＫ４と空気穴部破断切り込みＷＫ３が前記非開口部Ｄと接している。
【００６６】
本願発明の缶蓋と回転式タブについて、図２４の側面図を示す図２５により説明する。
前記タブ台座Ａの開口部圧力突起Ｐ２が前記空気穴部ＷＫ１のストッパー凹みＷＫ５に格納されている。
かかる位置から、該タブ台座Ａを矢印のＹ３からＹ４またはＹ５のいずれかの方向に前記空気穴部ＷＫ１の前記補強用突起ＷＫ２にそって移動すると、該開口部圧力突起Ｐ２が前記補強用突起ＷＫ２にせり上がり、図２４の前記空気穴部破断切り込みＷＫ３を破断し、さらに該開口部圧力突起Ｐ２が該補強用突起ＷＫ２にそって移動することにより、該補強用突起ＷＫ２に圧力をかけ、該空気穴部ＷＫ１を押し下げ開口する。
【００６７】
前記タブ台座Ａを矢印のＹ３からＹ４またはＹ５のどちらの方向に移動（回転）させても全く同じ動きで前記空気穴部ＷＫ１を押し下げ開口するので、右利きと左利きによる開口の容易さに差は無くなる。
【００６８】
本願発明の缶蓋と回転式タブについて、回転タブを示す図２６により説明する。
前記開口部Ｗ１と前記空気穴部ＷＫ１を備えた前記缶蓋パネル部Ｃに、前記回転タブ３を装着した平面図である。前記タブ台座Ａを指または掌にて矢印のＹ６またはＹ７のいずれの方向にも回転させて開口させることができる。
【００６９】
本願発明の缶蓋と回転式タブについて、前記各補強用突起Ｈ（補強用突起Ｃ２、補強用突起Ｗ２、補強用突起Ｋ２、補強用突起ＷＫ２）の側面図を示す図２７により説明する。
前記タブ台座Ａの開口部圧力突起Ｐ２の圧力が有効に該補強用突起Ｈに加わることができるよう考案された該補強用突起Ｈの断面の例である。
【００７０】
本願発明の缶蓋と回転式タブについて、回転タブの位置を示す図２８により説明する。
開口部Ｓ１と空気穴部ＳＫ１を備えた前記缶蓋パネル部Ｃに、前記回転タブ３を装着した平面図である。
【００７１】
前記タブ台座Ａには、前記空気穴部圧力突起Ｐ１と前記開口部圧力突起Ｐ２が備えられ、前記リベットＢにより前記缶蓋パネル部Ｃに取り付けられ、該開口部圧力突起Ｐ２がストッパー凹みＳ５の位置に格納されている。
【００７２】
前記缶蓋パネル部Ｃには、補強用突起Ｓ２Ａと補強用突起Ｓ２Ｂが備えられた開口部Ｓ１が、開口部破断切り込みＳ３と開口部折口Ｓ４により接している。
【００７３】
本願発明の缶蓋と回転式タブについて、回転タブの位置を示す図２９により説明する。
図２８から前記回転タブ３の前記タブ台座Ａを回転移動し、前記空気穴部圧力突起Ｐ１と前記開口部圧力突起Ｐ２が、それぞれ補強用突起ＳＫ２と補強用突起Ｓ２Ａに重なる位置にセットされている。
【００７４】
前記タブ台座Ａが図２８から図２９に移動する際に、前記空気穴部圧力突起Ｐ１が補強用突起ＳＫ２に接触し空気穴部ＳＫ１を開口する。
【００７５】
本願発明の缶蓋と回転式タブについて、図２９のａ−ａ’断面図を示す図３０により説明する。
前記タブ台座Ａの前記空気穴部圧力突起Ｐ１が補強用突起ＳＫ２に接触し空気穴部ＳＫ１が開口された後、前記開口部圧力突起Ｐ２が、前記補強用突起Ｓ２の上に重なる。この状態で、該タブ台座Ａを指または掌で押下することにより、前記開口部Ｓ１を開封する。
該補強用突起Ｓ２の形状により、前記開口部折口Ｓ４の折り曲げの度合いを調整する。
【００７６】
前記開口部Ｓ１を開封した後、前記タブ台座Ａの開口部圧力突起Ｐ２をストッパー凹みＳ５の位置すなわち、図２８の状態に戻す。
【００７７】
なお、前記空気穴部圧力突起Ｐ１の外周の形状と前記空気穴部ＳＫ１が開口された際の穴の外周の形状を一致させ、前記開口部圧力突起Ｐ２の外周の形状と前記開口部Ｓ１が開口された際の穴の形状を一致させると、該空気穴部圧力突起Ｐ１と該開口部圧力突起Ｐ２が、それぞれ開口した穴の蓋として活用可能となる。
【００７８】
本願発明の缶蓋と回転式タブについて、回転タブの裏面を示す図３１により説明する。
前記タブ台座Ａの開口部圧力突起Ｐ２の周辺に前記開口部Ｓ１の開口した穴に適合した突起またはパッキンＰＫ２を設け、前記タブ台座Ａの空気穴部圧力突起Ｐ１の周辺に前記空気穴部ＳＫ１の開口した穴に適合した突起またはパッキンＰＫ１を設けることができる。
これにより、該タブ台座Ａが蓋の機能を備えることができる。
【産業上の利用可能性】
【００７９】
力の弱い高齢者、女性、子供に対しても開けやすく、また、右利き左利きを問わない缶を提供することができる。
【００８０】
１度の使用で廃棄処分とならずそのまま再利用が可能な缶を提供することができる。
【符号の説明】
【００８１】
１      缶
２      缶蓋
３      回転タブ
Ｂ      リベット
Ｃ      缶蓋パネル部
Ａ      タブ台座
Ａ３    指掛け
Ａ４    指穴
Ａ５    摩擦突起
Ｐ１    空気穴部圧力突起
Ｐ２    開口部圧力突起
Ｄ      非開口部
Ｄ１    ストッパー凹み
Ｄ２    ストッパー凹み
Ｄ３    せり上げ用突起
Ｄ４    せり上げ用突起
Ｃ１    開口部
Ｃ２    補強用突起
Ｃ３    開口部破断切り込み
Ｃ４    開口部折口
Ｗ１    開口部
Ｗ２    補強用突起
Ｗ３    開口部破断切り込み
Ｗ４    開口部折口
Ｗ５    ストッパー凹み
Ｋ１    空気穴部
Ｋ２    補強用突起
Ｋ３    空気穴部破断切り込み
Ｋ４    空気穴部折口
ＷＫ１  空気穴部
ＷＫ２  補強用突起
ＷＫ３  空気穴部破断切り込み
ＷＫ４  空気穴部折口
ＷＫ５  ストッパー凹み
Ｈ      補強用突起
Ｓ１    開口部
Ｓ２    補強用突起
Ｓ３    開口部破断切り込み
Ｓ４    開口部折口
Ｓ５    ストッパー凹み
ＳＫ１  空気穴部
ＳＫ２  補強用突起
ＳＫ３  空気穴部破断切り込み
ＳＫ４  空気穴部折口
ＰＫ１  突起またはパッキン
ＰＫ２  突起またはパッキン
【図１】
2015131671.tif 000003
【図２】
2015131671.tif 000004
【図３】
2015131671.tif 000005
【図４】
2015131671.tif 000006
【図５】
2015131671.tif 000007
【図６】
2015131671.tif 000008
【図７】
2015131671.tif 000009
【図８】
2015131671.tif 000010
【図９】
2015131671.tif 000011
【図１０】
2015131671.tif 000012
【図１１】
2015131671.tif 000013
【図１２】
2015131671.tif 000014
【図１３】
2015131671.tif 000015
【図１４】
2015131671.tif 000016
【図１５】
2015131671.tif 000017
【図１６】
2015131671.tif 000018
【図１７】
2015131671.tif 000019
【図１８】
2015131671.tif 000020
【図１９】
2015131671.tif 000021
【図２０】
2015131671.tif 000022
【図２１】
2015131671.tif 000023
【図２２】
2015131671.tif 000024
【図２３】
2015131671.tif 000025
【図２４】
2015131671.tif 000026
【図２５】
2015131671.tif 000027
【図２６】
2015131671.tif 000028
【図２７】
2015131671.tif 000029
【図２８】
2015131671.tif 000030
【図２９】
2015131671.tif 000031
【図３０】
2015131671.tif 000032
【図３１】
2015131671.tif 000033